(57)【要約】  入力機能付き表示装置は、表示パネルと、表示パネルの前面側に配置されたタッチパネルと、タッチパネルに接続されており、かつ表示パネルの背面側に折り曲げられたフレキシブル基板と、を備え、タッチパネルは、フレキシブル基板の一部と対向する部位に、第１遮光膜および第２遮光膜を含んでいる。
2012141071.tif 000002
【特許請求の範囲】
【請求項１】
表示パネルと、
前記表示パネルの前面側に配置されたタッチパネルと、
前記タッチパネルに接続されており、かつ前記表示パネルの背面側に折り曲げられたフレキシブル基板と、を備え、
前記タッチパネルは、前記フレキシブル基板の一部と対向する部位に、第１遮光膜および第２遮光膜を含んでいる、入力機能付き表示装置。
【請求項２】
前記表示パネルと前記タッチパネルとは、第１空間を介して対向して配置されており、
前記タッチパネルは、前記第１空間に位置する前記フレキシブル基板と対向する部位に、前記第１遮光膜および前記第２遮光膜を含んでいる、請求項１に記載の入力機能付き表示装置。
【請求項３】
前記表示パネルが収容された筐体をさらに備え、
前記フレキシブル基板は、前記表示パネルと前記筐体との間の第２空間を介して、前記表示パネルの背面側に折り曲げられており、
前記タッチパネルは、前記第２空間に位置する前記フレキシブル基板と対向する部位に、前記第１遮光膜および前記第２遮光膜を含んでいる、請求項１または２に記載の入力機能付き表示装置。
【請求項４】
前記タッチパネルは、
基体と、
前記基体上に設けられた検出電極と、
前記基体上に設けられており、かつ前記検出電極と電気的に接続された検出用配線と、を含んでおり、
平面視して、前記第１遮光膜は、前記検出用配線を覆うように前記基体の外周部に設けられている、請求項１〜３のいずれか一項に記載の入力機能付き表示装置。
【請求項５】
前記第１遮光膜の透過率は、前記第２遮光膜の透過率よりも大きい、請求項１〜４のいずれか一項に記載の入力機能付き表示装置。
【請求項６】
前記表示パネルは、液晶パネルである、請求項１〜５のいずれか一項に記載の入力機能付き表示装置。
【請求項７】
請求項１〜６のいずれか一項に記載の入力機能付き表示装置を備えた電子機器。
【発明の詳細な説明】
【技術分野】
【０００１】
本発明は、入力機能付き表示装置、および電子機器に関する。
【背景技術】
【０００２】
近年、タッチパネルを備えた入力機能付き表示装置が、携帯電話、スマートフォン、ゲーム端末、複写機等の電子機器に広く用いられている（例えば、特許文献１参照）。このような入力機能付き表示装置は、例えば、表示パネルと、表示パネルの前面側に配置されたタッチパネルと、表示パネルの背面側に配置されたバックライトと、を備えている。そして、タッチパネルにはフレキシブル基板が接続されており、このフレキシブル基板は、バックライトの背面側に折り曲げられている。【０００３】
上記の入力機能付き表示装置では、例えば、バックライトからの光が、表示パネルを介してタッチパネルへ出射されることになる。この場合、タッチパネルに接続されたフレキシブル基板が、タッチパネルを介して使用者に視認されてしまう可能性があった。
【特許文献１】特開２０１０−２１８５４２号公報
【発明の概要】
【０００４】
本発明は、上記の問題点に鑑みてなされたものであり、その目的は、タッチパネルに接続されたフレキシブル基板が使用者に視認されてしまう可能性を低減することができる入力機能付き表示装置、および電子機器に関する。
【０００５】
本発明の入力機能付き表示装置における一態様は、表示パネルと、前記表示パネルの前面側に配置されたタッチパネルと、前記タッチパネルに接続されており、かつ前記表示パネルの背面側に折り曲げられたフレキシブル基板と、を備え、前記タッチパネルは、前記フレキシブル基板の一部と対向する部位に、第１遮光膜および第２遮光膜を含んでいる。
【０００６】
本発明の電子機器における一態様は、本発明に係る入力機能付き表示装置を備える。
【図面の簡単な説明】
【０００７】
【図１】本実施形態に係る入力機能付き表示装置の概略構成を示す平面図である。
【図２】図１中に示した切断線Ｉ−Ｉに沿って切断した断面図である。
【図３】タッチパネルの概略構成を示す平面図である。
【図４】図３中に示した切断線ＩＩ−ＩＩに沿って切断した断面図である。
【図５】図３中に示した切断線ＩＩＩ−ＩＩＩに沿って切断した断面図である。
【図６】図２中に示したＫ１の部分を拡大した図である。
【図７】図１中に示した切断線Ｉ−Ｉに沿って切断した断面図であって、下側筐体の上面に第２光源が設けられた態様を示す図である。
【図８】図２中に示したＫ１の部分を拡大した図であって、図６とは異なる態様を示す図である。
【図９】本実施形態に係る携帯端末の概略構成を示す斜視図である。
【発明を実施するための形態】
【０００８】
以下、本発明の実施形態について、図面を参照しながら説明する。
【０００９】
但し、以下で参照する各図は、説明の便宜上、本発明の一実施形態の構成部材のうち、本発明を説明するために必要な主要部材を簡略化して示したものである。したがって、本発明に係る入力機能付き表示装置、および電子機器は、本明細書が参照する各図に示されていない任意の構成部材を備え得る。
【００１０】
図１に示すように、本実施形態に係る入力機能付き表示装置Ｘ１は、所望の画像を表示しかつ情報を入力することが可能な表示入力領域ＥＩと、表示入力領域ＥＩの外側に位置する外側領域ＥＯとを有している。すなわち、本実施形態に係る外側領域ＥＯは、表示入力領域ＥＩを取り囲むように位置している。また、図１および図２に示すように、入力機能付き表示装置Ｘ１は、液晶パネル２、バックライト３、タッチパネル４、配線基板５、および第１筐体６を備えている。
【００１１】
液晶パネル２は、表示のために液晶組成物を利用した表示パネルである。具体的には、液晶パネル２は、上側基板２１と、上側基板２１よりも外側に張り出しかつ上側基板２１に対向して配置される下側基板２２と、上側基板２１と下側基板２２との間に介在した液晶層（図示せず）と、上側基板２１と下側基板２２との間に介在しかつ表示に寄与する表示部材層（図示せず）と、を備えている。なお、表示部材層としては、例えば、画素電極、配向膜、カラーフィルタ等が挙げられる。液晶パネル２の駆動方式としては、単純マトリクス駆動方式であってもよいし、アクティブマトリクス駆動方式であってもよい。また、液晶パネル２は、モノクロの表示パネルであってもよいし、カラーの表示パネルであってもよい。さらに、液晶パネル２は、透過型、半透過型、反射型のいずれであってもよい。
【００１２】
なお、液晶パネル２の代わりに、プラズマパネル、有機ＥＬパネル、電子ペーパ等の表示パネルを用いてもよい。ここで、有機ＥＬパネルは、電圧を印加すると発光する物質を利用した表示パネルである。具体的には、有機ＥＬパネルは、ジアミン類等の有機物を用いた発光体を基板に蒸着し、５〜１０Ｖの直流電圧を印加することで表示が行われる。なお、液晶パネル２の代わりに有機ＥＬパネルを用いた場合には、バックライト３は不要となる。また、液晶パネル２が反射型である場合も、バックライト３は不要となる。
【００１３】
バックライト３は、液晶パネル２の背面側に配置されており、液晶パネル２を照射する役割を有する。バックライト３は、第１光源３１と、導光板３２とを備えている。第１光源３１は、導光板３２の端面３２ａに向けて光を出射する役割を有しており、例えば、ＬＥＤ（Light Emitting Diode）から構成される。なお、第１光源３１として、ＬＥＤの代わりに、冷陰極蛍光ランプ、ハロゲンランプ、キセノンランプ、ＥＬを用いてもよい。第１光源３１は、導光板３２の端面３２ａに対向するように、後述する第２フレキシブル基板１２上に設けられている。導光板３２は、液晶パネル２における下側基板２２の下面全体にわたって、第１光源３１からの光を略均一に導くための役割を有する。
【００１４】
タッチパネル４は、液晶パネル２の前面側に配置されており、使用者が指あるいはペン等で操作した箇所を入力位置として検出する役割を有する。図２に示すように、タッチパネル４は、第１空間Ｓ１を介して液晶パネル２と対向して配置されている。なお、第１空間Ｓ１は、液晶パネル２とタッチパネル４との間に存在する空間である。また、タッチパネル４は、液晶パネル２よりも外側に張り出して構成されている。このため、バックライト３からの光は、液晶パネル２を介して、タッチパネル４の略全面を照射することになる。
【００１５】
なお、以下では、タッチパネル４は、投影型の静電容量方式のタッチパネルである例について説明するが、これに限らない。タッチパネル４は、表面型の静電容量方式のタッチパネルであってもよい。また、タッチパネル４は、抵抗膜方式のタッチパネル、表面弾性波方式のタッチパネル、赤外線方式のタッチパネル、あるいは電磁誘導方式のタッチパネルであってもよい。
【００１６】
図３は、本実施形態に係るタッチパネル４の概略構成を示す平面図である。図４は、図３中に示した切断線ＩＩ−ＩＩに沿って切断した断面図である。図５は、図３中に示した切断線ＩＩＩ−ＩＩＩに沿って切断した断面図である。
【００１７】
図３〜図５に示すように、タッチパネル４は、基体４１を備えている。基体４１は、使用者により指あるいはペン等で操作される操作面４１ａ、および操作面４１ａの反対側に位置する背面４１ｂを有している。なお、操作面４１ａを保護するために、当該操作面４１ａ上に保護フィルムを設けてもよい。基体４１は、操作面４１ａおよび背面４１ｂに対して交差する方向に光を適切に透過することが可能な構成とされるとともに、絶縁性を有する構成とされている。基体４１の構成材料としては、例えば、ガラスあるいはプラスチック等の透光性を有するものが挙げられるが、中でも視認性の観点においてガラスが好ましい。なお、本明細書において透光性とは、可視光に対する透過性を有することを意味する。
【００１８】
表示入力領域ＥＩに対応する基体４１の背面４１ｂ上には、第１検出電極４２と、第１接続電極４３と、第２検出電極４４と、第２接続電極４５と、絶縁体４６とが設けられている。
【００１９】
第１検出電極４２は、表示入力領域ＥＩに接近した使用者の指Ｕ１の、Ｙ方向における入力位置の検出を行う役割を有するものであり、指Ｕ１との間に静電容量を発生する機能を有している。すなわち、第１検出電極４２は、基体４１の背面４１ｂ上に、Ｘ方向に沿って所定の間隔を空けて設けられている。ここで、本実施形態に係る第１検出電極４２は、検出感度を向上する観点から、平面視形状が略ひし形とされているが、これには限られない。
【００２０】
第１接続電極４３は、隣り合う第１検出電極４２を電気的に接続する役割を担う部材である。第１接続電極４３は、基体４１の背面４１ｂ上に設けられている。
【００２１】
第２検出電極４４は、表示入力領域ＥＩに接近した使用者の指Ｕ１の、Ｘ方向における入力位置の検出を行う役割を有するものであり、指Ｕ１との間に静電容量を発生する機能を有している。すなわち、第２検出電極４４は、基体４１の背面４１ｂ上に、Ｙ方向に沿って所定の間隔を空けて設けられている。ここで、本実施形態に係る第２検出電極４４は、検出感度を向上する観点から、平面視形状が略ひし形とされているが、これには限られない。
【００２２】
第２接続電極４５は、隣り合う第２検出電極４４を電気的に接続する役割を担う部材である。第２接続電極４５は、第１接続電極４３と電気的に絶縁するように、かつ絶縁体４６を跨ぐように、当該絶縁体４６上に設けられている。ここで、絶縁体４６は、第１接続電極４３を覆うようにして基体４１の背面４１ｂ上に設けられている。絶縁体４６の構成材料としては、例えば、アクリル樹脂、エポキシ樹脂、あるいはシリコーン樹脂等の透明樹脂が挙げられる。
【００２３】
上述の第１検出電極４２、第１接続電極４３、第２検出電極４４、および第２接続電極４５の構成材料としては、例えば、透光性を有する導電性部材が挙げられる。透光性を有する導電性部材としては、例えば、ＩＴＯ（Indium Tin Oxide）、ＩＺＯ（Indium Zinc Oxide）、ＡＴＯ（Antimony Tin Oxide）、ＡＺＯ（Al-Doped Zinc Oxide）、酸化錫、酸化亜鉛、あるいは導電性高分子（例えば、ＰＥＤＯＴ、ＰＳＳ等）が挙げられる。
【００２４】
また、外側領域ＥＯに対応する基体４１の背面４１ｂ上には、検出用配線４７が設けられている。
【００２５】
検出用配線４７は、第１検出電極４２および第２検出電極４４に電圧を印加する役割、および、第１検出電極４２および第２検出電極４４と指Ｕ１との間において発生した静電容量の変化を検出する役割を有する。検出用配線４７は、その一端部が第１検出電極４２および第２検出電極４４と電気的に接続され、その他端部が後述する第１フレキシブル基板１１に電気的に接続されている。検出用配線４７は、例えば、硬質で高い形状安定性を得るべく、金属薄膜で構成されている。この金属薄膜としては、例えば、アルミニウム膜、アルミニウム合金膜、クロム膜とアルミニウム膜との積層膜、クロム膜とアルミニウム合金膜との積層膜、銀膜、銀合金膜、あるいは金合金膜が挙げられる。なお、上述の金属薄膜を形成する方法としては、例えば、スパッタリング法、蒸着法、あるいは化学気相成長法が挙げられる。
【００２６】
保護部材４８は、第１検出電極４２、第１接続電極４３、第２検出電極４４、第２接続電極４５、絶縁体４６、検出用配線４７、および後述する第２遮光膜４１２を保護するための役割を有する。このため、保護部材４８は、これらの部材を覆うようにして設けられている。すなわち、保護部材４８は、接合部材４９を介して基体４１の背面４１ｂと接着される。保護部材４８としては、例えば、ポリエチレンテレフタレートフィルム、アクリルフィルム、ポリカーボネートフィルム、樹脂フィルム等が挙げられる。また、接合部材４９としては、例えば、アクリル系接着剤、シリコーン系接着剤、ゴム系接着剤、ウレタン系接着剤等が挙げられる。
【００２７】
図６は、図２中に示したＫ１の部分を拡大した図である。図１〜図３、および図６に示すように、外側領域ＥＯに対応する基体４１の操作面４１ａ上には、第１遮光膜４１１が設けられている。なお、図３では、説明の便宜上、第１遮光膜４１１に、図１および図２で示した着色は施していない。また、図３では、説明の便宜上、後述する第２遮光膜４１２に、図１および図２で示した着色は施していない。
【００２８】
第１遮光膜４１１は、基体４１の操作面４１ａおよび背面４１ｂと交差する方向に入射する光を遮光する役割を有する。なお、本明細書において「遮光」とは、反射あるいは吸収によって可視光の一部または全部を遮蔽することを意味する。平面視して、第１遮光膜４１１は、検出用配線４７を覆うように基体４１の外周部（外側領域ＥＯ）に設けられている。検出用配線４７を覆うように基体４１の外周部に第１遮光膜４１１が設けられているので、外側領域ＥＯの全体を加飾することができるとともに、検出用配線４７が使用者に視認されてしまう可能性を低減することができる。
【００２９】
第１遮光層４１１の構成材料としては、樹脂材料に着色材料を含んだものが挙げられる。樹脂材料としては、例えば、アクリル系樹脂、エポキシ系樹脂、あるいは二酸化ケイ素が挙げられる。着色材料としては、例えば、カーボン、チタン、あるいはクロムが挙げられる。なお、第１遮光層４１１は、黒色に限らず、黒色以外の他の色を着色していてもよい。第１遮光層４１１を形成する方法としては、例えば、スクリーン印刷法、スパッタリング法、ＣＶＤ（Chemical Vapor Deposition）法、あるいは蒸着法が挙げられる。
【００３０】
また、外側領域ＥＯに対応する基体４１の背面４１ｂ上には、第２遮光膜４１２が設けられている。第２遮光膜４１２は、第１遮光膜４１１と同様、基体４１の操作面４１ａおよび背面４１ｂと交差する方向に入射する光を遮光する役割を有する。本実施形態では、第１遮光膜４１１が基体４１の外周部に設けられているのに対して、第２遮光膜４１２は、基体４１の外周部の一部（図１に示す例では、基体４１の外周部における下側の一部）に設けられている。第２遮光層４１２の構成材料としては、第１遮光膜４１１と同様のものが挙げられる。
【００３１】
なお、第２遮光膜４１２の表面に複数の凸凹を形成してもよい。第２遮光膜４１２の表面に複数の凸凹を形成すると、接合部材４９と第２遮光膜４１２との接着面積が増加する。接合部材４９と第２遮光膜４１２との接着面積が増加すると、接合部材４９と第２遮光膜４１２との接着強度が高くなる。このため、保護部材４８と第２遮光膜４１２との接着強度も高くなる。そのため、保護部材４８が、接合部材４９とともに第２遮光膜４１２から剥がれる可能性を低減することができる。
【００３２】
配線基板５は、バックライト３の背面側に配置されており、制御回路、抵抗器、コンデンサ等を実装面５ａに実装し、その部品間を配線で接続することで電子回路を構成する板状またはフィルム状の基板である。配線基板５の実装面５ａに設けられた制御回路５１としては、例えば、タッチパネル４を制御するためのタッチパネルドライバ、バックライト３を制御するためのバックライトドライバ、液晶パネル２を制御するための表示ドライバ等が挙げられる。なお、表示ドライバは、ＣＯＧ（Chip On Glass）により、液晶パネル２における上側基板２１よりも外側に突出した下側基板２２上に設けられていてもよい。また、表示ドライバは、ＣＯＦ（Chip On Film）により、第２フレキシブル基板１２上に設けられていてもよい。
【００３３】
第１筐体６は、液晶パネル２、バックライト３、および配線基板５を収容するための役割を有する。第１筐体６の構成材料としては、例えば、ポリカーボネート等の樹脂、あるいは、ステンレス、アルミニウム等の金属が挙げられる。
【００３４】
第１筐体６は、上側筐体６１と、下側筐体６２とを備えている。上側筐体６１は、接着部材７を介して外側領域ＥＯに対応するタッチパネル４と接着され、下側筐体６２は、接着部材７を介して上側筐体６１と接着される。接着部材７としては、両面テープ、アクリル系接着剤、シリコーン系接着剤、ゴム系接着剤、ウレタン系接着剤等が挙げられる。タッチパネル４、上側筐体６１、および下側筐体６２により、液晶パネル２、バックライト３、および配線基板５が封止される。これにより、液晶パネル２、バックライト３、および配線基板５は、外部から埃あるいは水が付着する可能性を低減することができる。
【００３５】
なお、上記では、第１筐体６として、上側筐体６１と下側筐体６２とで別個独立に構成した例について説明したが、これに限定されない。例えば、上側筐体６１と下側筐体６２とを一体的に構成してもよい。
【００３６】
また、上記では、第１筐体６は、液晶パネル２およびバックライト３とともに、配線基板５を収容している例について説明したが、これに限らない。第１筐体６の外側に配線基板５が設けられていてもよい。
【００３７】
ここで、配線基板５の実装面５ａには、第１コネクタ５２および第２コネクタ５３が設けられている。第１コネクタ５２および第２コネクタ５３は、制御回路５１と電気的に接続されている。
【００３８】
第１コネクタ５２には、第１フレキシブル基板１１が接続される。すなわち、第１フレキシブル基板１１は、タッチパネル４の検出用配線４７と電気的に接続された状態で、第２空間Ｓ２を介して、表示パネル２の背面側、具体的には、配線基板５の背面側に折り曲げられ、第１コネクタ５２に接続される。なお、第２空間Ｓ２は、液晶パネル２およびバックライト３と上側筐体６１との間に存在する空間である。これにより、タッチパネル４の検出用配線４７は、第１フレキシブル基板１１および第１コネクタ５２を介して、制御回路５１と電気的に接続される。
【００３９】
第２コネクタ５３には、第２フレキシブル基板１２が接続される。すなわち、第２フレキシブル基板１２は、液晶パネル２およびバックライト３の第１光源３１と電気的に接続された状態で、第２空間Ｓ２を介して、表示パネル２の背面側、具体的には、配線基板５の背面側に折り曲げられ、第２コネクタ５３に接続される。これにより、液晶パネル２およびバックライト３の第１光源３１は、第２フレキシブル基板１２および第２コネクタ５３を介して、制御回路５１と電気的に接続される。
【００４０】
なお、図２に示すように、上側筐体６１と第１フレキシブル基板１１とは、隙間を有していることが好ましい。上側筐体６１と第１フレキシブル基板１１とが接触していると、第１フレキシブル基板１１が上側筐体６１によって破損してしまう可能性があるからである。これと同様の理由から、上側筐体６１と第２フレキシブル基板１２とは、隙間を有していることが好ましい。
【００４１】
なお、上記では、２つのフレキシブル基板１１，１２を用いて上記の接続状態を実現した例について説明したが、これに限らない。１つのフレキシブル基板を用いて上記の接続状態を実現してもよいし、３つ以上のフレキシブル基板を用いて上記の接続状態を実現してもよい。
【００４２】
図２に示すように、タッチパネル４は、第１フレキシブル基板１１の一部と対向する部位に、第１遮光膜４１１および第２遮光膜４１２を含んでいる。すなわち、タッチパネル４は、第１フレキシブル基板１１の一部と対向する部位に、第１遮光膜４１１だけでなく第２遮光膜も含んでいるため、第１フレキシブル基板１１が使用者に視認されてしまう可能性を低減することができる。以下、具体的に説明する。
【００４３】
上述したように、タッチパネル４は、液晶パネル２よりも外側に張り出して構成されており、かつ液晶パネル２と第１空間Ｓ１を介して対向して配置されている。このため、バックライト３からの光は、液晶パネル２を介して、タッチパネル４の略全面を照射することになる。このため、第１空間Ｓ１に位置する第１フレキシブル基板１１が、液晶パネル２を介したバックライト３からの光により、タッチパネル４を介して使用者に視認されてしまう可能性があった。なお、図２では、第１空間Ｓ１に位置する第１フレキシブル基板１１における第１部位を、符号「１１ａ」として表している。
【００４４】
これに対して、本実施形態では、タッチパネル４は、第１空間Ｓ１に位置する第１フレキシブル基板１１における第１部位１１ａと対向する部位に、第１遮光膜４１１および第２遮光膜４１２を含んでいる。すなわち、タッチパネル４は、第１フレキシブル基板１１における第１部位１１ａと対向する部位に、第１遮光膜４１１だけでなく第２遮光膜４１２も含んでいることになる。このため、液晶パネル２を介したバックライト３からの光により、第１フレキシブル基板１１における第１部位１１ａが、タッチパネル４を介して使用者に視認されてしまう可能性を低減することができる。
【００４５】
また、入力機能付き表示装置Ｘ１が例えばスマートフォンのような携帯端末に備えられた場合、入力機能付き表示装置Ｘ１の外側領域ＥＯを例えばイルミネーションにて表示させることが行われている。この場合、図７に示すように、第２空間Ｓ２と対応する下側筐体６２の上面に、第２光源８が設けられることになる。すなわち、第２光源８が発光することで、第２空間Ｓ２を介してタッチパネル４の外側領域ＥＯをイルミネーションにて表示させることが可能となる。なお、第２光源８は、例えば、ＬＥＤから構成される。
【００４６】
図７に示す入力機能付き表示装置Ｘ１では、第２光源８からの光は、第２空間Ｓ２を介してタッチパネル４の外側領域ＥＯを照射することになる。このため、第２空間Ｓ２に位置する第１フレキシブル基板１１が、第２空間Ｓ２を介した第２光源８からの光により、タッチパネル４を介して使用者に視認されてしまう可能性があった。なお、図２および図７では、第２空間Ｓ２に位置する第１フレキシブル基板１１における第２部位を、符号「１１ｂ」として表している。
【００４７】
これに対して、本実施形態では、タッチパネル４は、第２空間Ｓ１に位置する第１フレキシブル基板１１における第２部位１１ｂと対向する部位に、第１遮光膜４１１および第２遮光膜４１２を含んでいる。すなわち、タッチパネル４は、第１フレキシブル基板１１における第２部位１１ｂと対向する部位に、第１遮光膜４１１だけでなく第２遮光膜４１２も含んでいることになる。このため、第２空間Ｓ２を介した第２光源８からの光により、第１フレキシブル基板１１における第２部位１１ｂが、タッチパネル４を介して使用者に視認されてしまう可能性を低減することができる。
【００４８】
なお、液晶パネル２から漏れ出た光が、下側筐体６２の上面で反射され、この反射された光が、第２空間Ｓ２を介してタッチパネル４を照射する可能性がある。このため、図２に示す入力機能付き表示装置Ｘ１においても、第１フレキシブル基板１１における第２部位１１ｂと対向する部位に第１遮光膜４１１および第２遮光膜４１２を含んでいると、図７に示す入力機能付き表示装置Ｘ１において説明したのと同様の効果を奏する。
【００４９】
また、本実施形態では、図２に示すように、第２空間Ｓ２を覆うように第１遮光膜４１１および第２遮光膜４１２が基体４１上に設けられているため、第１フレキシブル基板１１だけでなく第２フレキシブル基板１２も、タッチパネル４を介して使用者に視認されてしまう可能性を低減することができる。
【００５０】
また、第１遮光膜４１１の透過率が、第２遮光膜４１２の透過率よりも大きい場合に、第１フレキシブル基板１１が使用者に視認されてしまう可能性を効果的に低減することができる。例えば、第１遮光膜４１１を白色にて形成するとともに、第２遮光膜４１２を黒色にて形成する場合等である。第１遮光膜４１１を白色にて形成しているため、第１遮光膜４１１だけでは第１フレキシブル基板１１が使用者に視認されてしまう可能性が高くなるが、黒色にて形成された第２遮光膜４１２を設けているため、第２遮光膜４１２によって第１フレキシブル基板１１が使用者に視認されてしまう可能性を低減することができる。
【００５１】
なお、第１遮光膜４１１および第２遮光膜４１２の透過率は、公知の分光光度計を用いることで計測することができる。
【００５２】
なお、上記では、第２遮光膜４１２は、外側領域ＥＯに対応する基体４１の背面４１ｂ上に設けられている例について説明したが、これに限らない。例えば、図８に示すように、第２遮光膜４１２は、保護部材４８の下面４８ａに設けられていてもよい。この場合、第２遮光膜４１２が保護部材４８の下面４８ａから剥がれる可能性を低減するために、第２遮光膜４１２の一部４１２ａは、接着部材７に埋入されていることが好ましい。また、第２遮光膜４１２が保護部材４８の下面４８ａから剥がれる可能性をより低減するために、第２遮光膜４１２の一部４１２ａの表面に複数の凸凹を形成してもよい。このようにすると、第２遮光膜４１２の一部４１２ａと接着部材７との接着面積が増加し、第２遮光膜４１２の一部４１２ａと接着部材７との接着強度が高くなるからである。
【００５３】
次に、タッチパネル４の検出原理について説明する。
【００５４】
制御回路５１は、第１コネクタ５２、第１フレキシブル基板１１、および検出用配線４７を介して、第１検出電極４２および第２検出電極４４に電圧を供給している。ここで、表示入力領域ＥＩに対応する基体４１の操作面４１ａに、導電体である指Ｕ１が接近すると、指Ｕ１と第１検出電極４２および第２検出電極４４との間において静電容量が発生する。制御回路５１は、第１検出電極４２および第２検出電極４４において発生する静電容量を常に検出しており、所定値以上の静電容量を検出した第１検出電極４２および第２検出電極４４の組合せによって、使用者が入力操作を行った入力位置を検出する。このようにして、タッチパネル４は、入力位置を検出することができる。
【００５５】
タッチパネル４は、液晶パネル２を透視しながら、表示入力領域ＥＩを入力操作することによって、各種の情報を入力することができる。なお、各種の情報を入力する際に、情報を入力した使用者に対して、押圧感、なぞり感、肌触り感等の様々な触感を呈示する機能をタッチパネル４に付与してもよい。この場合、タッチパネル４における基体４１に、１または複数の振動体（例えば、圧電素子等）を備え、所定の入力操作あるいは所定の押圧荷重を検知した場合に、当該振動体を所定の周波数で振動させることで実現することができる。
【００５６】
以上のように、入力機能付き表示装置Ｘ１によれば、タッチパネル４に接続された第１フレキシブル基板１１が使用者に視認されてしまう可能性を低減することができる。
【００５７】
次に、上記の入力機能付き表示装置Ｘ１を備えた携帯端末Ｐ１について、図９を参照しながら説明する。
【００５８】
図９は、本実施形態に係る携帯端末Ｐ１の概略構成を示す斜視図である。図９に示すように、携帯端末Ｐ１は、例えば、携帯電話、スマートフォン、ＰＤＡ（Personal Digital Assistant）等の電子機器であって、上記の入力機能付き表示装置Ｘ１と、音声入力部１０１と、音声出力部１０２と、キー入力部１０３と、第２筐体１０４とを備えている。
【００５９】
音声入力部１０１は、例えば、マイク等により構成されており、使用者の音声等が入力される。音声出力部１０２は、スピーカ等により構成されており、相手方からの音声等が出力される。キー入力部１０３は、例えば、機械的なキーにより構成される。なお、キー入力部１０３は、表示画面に表示された操作キーであってもよい。第２筐体１０４は、入力機能付き表示装置Ｘ１、音声入力部１０１、音声出力部１０２、およびキー入力部１０３を収容する役割を有する。
【００６０】
他にも、携帯端末Ｐ１は、必要な機能に応じて、デジタルカメラ機能部、ワンセグ放送用チューナ、赤外線通信機能部等の近距離無線通信部、および各種インタフェース等を備える場合もあるが、これらの詳細についての図示および説明は省略する。
【００６１】
携帯端末Ｐ１は、入力機能付き表示装置Ｘ１を備えているので、タッチパネル４に接続された第１フレキシブル基板１１が使用者に視認されてしまう可能性を低減することができる。
【００６２】
なお、上記では、携帯端末Ｐ１に音声入力部１０１を備えている例について説明したが、これに限らない。すなわち、携帯端末Ｐ１には音声入力部１０１は備えられていなくともよい。
【００６３】
また、上記では、携帯端末Ｐ１は、入力機能付き表示装置Ｘ１を収容する第２筐体１０４を備えている例について説明したが、これに限らない。第２筐体１０４を別個独立に設けることなく、入力機能付き表示装置Ｘ１における第１筐体６が携帯端末Ｐ１の筐体となる構成であってもよい。
【００６４】
さらに、入力機能付き表示装置Ｙ１は、上記の携帯端末Ｐ１の代わりに、産業用途で使用される表示器、車載用途で使用される表示器、電子手帳、パーソナルコンピュータ、複写機、ゲーム用の端末装置、テレビ、デジタルカメラ等の様々な電子機器に備えられていてもよい。
【符号の説明】
【００６５】
Ｘ１  入力機能付き表示装置
Ｐ１  電子機器
２  液晶パネル（表示パネル）
４  タッチパネル
４１  基体
４２  第１検出電極（検出電極）
４４  第２検出電極（検出電極）
４７  検出用配線
４１１  第１遮光膜
４１２  第２遮光膜
６  第１筐体（筐体）
１１  第１フレキシブル基板（フレキシブル基板）
【図１】
2012141071.tif 000003
【図２】
2012141071.tif 000004
【図３】
2012141071.tif 000005
【図４】
2012141071.tif 000006
【図５】
2012141071.tif 000007
【図６】
2012141071.tif 000008
【図７】
2012141071.tif 000009
【図８】
2012141071.tif 000010
【図９】
2012141071.tif 000011
【国際調査報告】
2012141071.tif 000012
2012141071.tif 000013